(57)【要約】【課題】キャップ本体とは別体とされた油種の表示部材が意図せず外れることを好適に防止することのできるオイルフィラーキャップを提供する。【解決手段】使用可能な油種の情報が表示された、略コの字型に形成されたプレート２の両端をそれぞれ内側に折り曲げた形状とすることで、キャップ本体１の側周に形成された２つの溝部７にそれぞれ係合される２つの爪部９を設けるとともに、爪部９の形成のためのプレート２の折り曲げ部１１の外側形状を、曲率を有したＲ形状とすることで、引っ掛りを防止して、プレート２を外れ難くした。【選択図】図４
2012202300.tif 000002
【特許請求の範囲】
【請求項１】
エンジンオイルの注入口を塞ぐオイルフィラーキャップであって、
前記注入口を塞ぐためのキャップ機能を有するキャップ本体と、
そのキャップ本体の側周に形成された２つの溝部と、
使用可能な油種の情報が表示されたプレートと、
前記プレートの両端をそれぞれ内側に折り曲げた形状とすることで形成されて、前記２つの溝部にそれぞれ係合される２つの爪部と、
を備えるとともに、前記爪部の形成のための前記プレートの折り曲げ部の外側形状を、曲率を有したＲ形状とした
ことを特徴とするオイルフィラーキャップ。
【請求項２】
前記爪部の係合された前記溝部に、前記プレートを前記キャップ本体から取り外すための工具を挿入するための隙間を形成した
ことを特徴とする請求項１に記載のオイルフィラーキャップ。
【請求項３】
前記プレートは、前記キャップ本体に形成された凹部内にその全体が埋設されてなる
請求項１又は２に記載のオイルフィラーキャップ。
【発明の詳細な説明】
【技術分野】
【０００１】
本発明は、エンジンオイルの注入口を塞ぐオイルフィラーキャップに関する。
【背景技術】
【０００２】
この種のオイルフィラーキャップとしては、従来、様々な形状のものが提案され、例えば特許文献１には、注入口を塞ぐためのキャップ機能を有するキャップ本体の上面に、エンジンオイルやオイルフィルターの交換時期等を記録するための表示具を固定したものが提案されている。
【先行技術文献】
【特許文献】
【０００３】
【特許文献１】実登３０６２７９５号公報
【発明の概要】
【発明が解決しようとする課題】
【０００４】
ところで、使用可能な油種をオイルフィラーキャップに表示しておけば、オイル交換に際して使用可能な油種を直ちに知ることができる。ただし、オイルフィラーキャップの本体に、使用可能な油種の情報を刻印等により記載するとすれば、油種の分だけオイルフィラーキャップの種類が増加してしまう。そこで、油種の表示部材をオイルフィラーキャップの本体とは別体とすることが考えられる。
【０００５】
この場合、油種の表示部材が市場においてキャップ本体から外れてはいけないものの、別体形成されている以上は、エンドユーザーがオイルフィラーキャップの取り付けや取り外しを行う際に、表示部品を引っ掛ける等して意図せず外れてしまう懸念がある。
【０００６】
本発明は、こうした実情に鑑みてなされたものであり、その解決しようとする課題は、キャップ本体とは別体とされた油種の表示部材が意図せず外れることを好適に防止することのできるオイルフィラーキャップを提供することにある。
【課題を解決するための手段】
【０００７】
油種の表示部材をキャップ本体と別体とする手法として、キャップ本体に固定されるプレートを油種の表示部材とすることを考える。そして、そのプレートの両端をそれぞれ内側に折り曲げられた形状として２つの爪部を形成し、それら爪部をキャップ本体の側周に形成された２つの溝部にそれぞれ係合することで、プレートをキャップ本体に固定するようにする。この場合に、爪部形成のためのプレートの折り曲げ部の外側にエッジが形成されていると、エンドユーザーがオイルフィラーキャップの取り付けや取り外しを行う際に、そのエッジ部分が引っ掛り、意図せずプレートが外れてしまうことがある。
【０００８】
その点、エンジンオイルの注入口を塞ぐオイルフィラーキャップとしての請求項１に記載の発明は、注入口を塞ぐためのキャップ機能を有するキャップ本体と、そのキャップ本体の側周に形成された２つの溝部と、使用可能な油種の情報が表示された、略コの字型に形成されたプレートと、そのプレートの両端をそれぞれ内側に折り曲げた形状とすることで形成されて、２つの溝部にそれぞれ係合される２つの爪部と、を備えるとともに、爪部の形成のためのプレートの折り曲げ部の外側形状を、曲率を有したＲ形状とするようにしている。
【０００９】
こうした構成では、爪部の形成のためのプレートの折り曲げ部の外側形状がＲ形状であるため、引っ掛り難くなっており、プレートが意図せず外れてしまうことを防止できる。したがって、上記構成によれば、キャップ本体とは別体とされた油種の表示部材であるプレートが意図せず外れることを好適に防止することができる。
【００１０】
なお、請求項２によるように、爪部の係合された溝部に、プレートをキャップ本体から取り外すための工具を挿入するための隙間を形成するようにすれば、必要に応じてプレートを取り外すことが可能となる。
【００１１】
また、請求項３によるように、プレートの全体を、キャップ本体に形成された凹部内に埋設するようにすれば、プレートが更に引っ掛り難くなり、その意図しない外れがより一層防止される。
【図面の簡単な説明】
【００１２】
【図１】本発明のオイルフィラーキャップの一実施の形態についてその斜視構造を示す斜視図。
【図２】同実施の形態のオイルフィラーキャップのキャップ本体の斜視構造を示す斜視図。
【図３】同実施の形態のオイルフィラーキャップのプレートの斜視構造を示す斜視図。
【図４】同実施の形態のオイルフィラーキャップの側部断面構造を示す断面図。
【発明を実施するための形態】
【００１３】
以下、本発明のオイルフィラーキャップを具体化した一実施の形態を、図１〜図４を参照して詳細に説明する。
ここではまず、図１〜図４を参照して、本実施の形態のオイルフィラーキャップの構成を説明する。
【００１４】
図１に示す本実施の形態のオイルフィラーキャップは、車両のエンジンルームに設けられたエンジンオイル注入口を塞ぐキャップとして機能するキャップ本体１と、注入すべき油種の表示機能を有するプレート２との２つのパーツによって形成されている。なお、以下の説明では、オイル注入口に挿入される側をオイルフィラーキャップの下方とし、その反対側をオイルフィラーキャップの上方と記載する。
【００１５】
図２に示すように、キャップ本体１の先端には、オイル注入口に嵌入される、略円管形状の嵌入部３が設けられている。嵌入部３の上方には、外縁が下方に湾曲した略円盤形状に形成されて、注入口を塞ぐキャップ部４が設けられる。そしてキャップ部４の上方には、オイルフィラーキャップの取り付け、取り外しに際しての摘みとなる、略直方体形状の摘み部５が設けられている。
【００１６】
摘み部５の上面及び前後面には、上記プレート２が配設される凹部６が形成されている。また凹部６の両端におけるキャップ本体１の側周には、略直方体形状の溝部７が形成されている。更に摘み部５の両側には、凹凸形状の滑り止め８が形成されている。
【００１７】
図３に示すように、プレート２は、略コの字型に形成されており、その上面には、油種を示す刻印１０が刻み込まれている。またプレート２には、その両端を内側に折り曲げた形状とすることで、内側に突出する爪部９が形成されている。こうした爪部９の形成のためのプレート２の折り曲げ部１１の外側形状は、曲率を有したＲ形状とされている。
【００１８】
図４に示すように、こうしたプレート２は、その爪部９をキャップ本体１の溝部７に係合することで、キャップ本体１に取り付けられる。なお、同図に示すように、キャップ本体１に取り付けられたプレート２は、その全体がキャップ本体１の凹部６に埋設される。また同図に示すように、キャップ本体１の溝部７の幅は、プレート２の爪部９の厚さよりも大きくされており、爪部９の係合された溝部７には、一定幅の隙間１２が形成されている。
【００１９】
次に、本実施の形態のオイルフィラーキャップの作用を説明する。
以上のように構成されたオイルフィラーキャップでは、爪部９の形成のためのプレート２の折り曲げ部１１の外側形状がＲ形状であるため、引っ掛り難くなっている。また、プレート２の全体が、キャップ本体１に形成された凹部６内に埋設されているため、プレート２の他の部位でも、引っ掛りが生じ難くなっている。
【００２０】
また、本実施の形態のオイルフィラーキャップでは、プレート２の取り替えが必要となったときには、プレート２の爪部９の係合された溝部７に形成された隙間１２に、マイナスドライバーなどの工具を挿入して抉ることで、キャップ本体１からのプレート２の取り外しが行われる。
【００２１】
以上の本実施の形態のオイルフィラーキャップによれば、以下の効果を奏することができる。
（１）本実施の形態では、キャップ本体１の溝部７に係合される、爪部９を形成するためのプレート２の折り曲げ部１１の外側形状が、曲率を有したＲ形状とされている。そのため、折り曲げ部１１は、引っ掛り難くなっており、プレート２が意図せず外れてしまうことを防止できる。したがって、本実施の形態によれば、キャップ本体１とは別体とされた油種の表示部材であるプレート２が意図せず外れることを好適に防止することができる。
【００２２】
（２）本実施の形態では、爪部９の係合された溝部７に、プレート２をキャップ本体１から取り外すための工具を挿入するための隙間１２が形成されている。そのため、必要に応じたプレート２の取り外しを行うことが可能となる。
【００２３】
（３）本実施の形態では、プレート２の全体が、キャップ本体１に形成された凹部６内に埋設されている。そのため、折り曲げ部１１以外の部位でも、プレート２が引っ掛り難くすることができる。
【００２４】
なお、上記実施の形態は、以下のように変更して実施することもできる。
・上記実施の形態では、刻印１０により油種の印字を行うようにしていたが、タンポ印刷等、他の印字方法により油種表示のための印字を行うこともできる。
【００２５】
・上記実施の形態では、キャップ本体１に摘み部５を形成するようにしていたが、摘み部５を割愛しても、キャップ部４の外周に滑り止め用の凹凸を設けることなどにより、オイルフィラーキャップの取り付け、取り外しを行えるようにすることが可能である。
【００２６】
・上記実施の形態では、爪部９の係合された溝部７に、プレート２をキャップ本体１から取り外すための工具を挿入するための隙間１２を形成するようにしていたが、一旦、取り付けた後にプレート２を取り外す必要がない場合などには、そうした隙間１２を省略するようにしても良い。
【００２７】
・上記実施の形態では、キャップ本体１に形成された凹部６内にプレート２の全体を埋設するようにしていた。もっとも、プレート２が十分に薄く、引っ掛る虞がない場合や、プレート２のエッジ部分が面取り加工されていて、引っ掛り難くされている場合には、プレート２全体を凹部６に埋設せずとも、プレート２が意図せず外れることがないようにすることができる。
【符号の説明】
【００２８】
１…キャップ本体、２…プレート、３…嵌入部、４…キャップ部、５…摘み部、６…凹部、７…溝部、８…滑り止め、９…爪部、１０…刻印、１１…折り曲げ部、１２…隙間。
【図１】
2012202300.tif 000003
【図２】
2012202300.tif 000004
【図３】
2012202300.tif 000005
【図４】
2012202300.tif 000006